(57)【要約】      （修正有）【課題】メモリカード・インタフェースまたは製品インタフェースを使用してカード・リーダまたは電子装置に接続する、ミニチュア・メモリカード用のデュアル・インタフェース・コンバータを提供する。【解決手段】ミニチュア・メモリカードのデュアル・インタフェース・コンバータは、標準のメモリカードと互換性を持つカートリッジと、該カートリッジに形成した製品インタフェースと共にメモリカード・インタフェースと、ミニチュア・カードをカートリッジに挿入できるようにカートリッジに設けたスロットとを有する。コンバータを使用する１つの態様において、カード・リーダは、メモリカード・インタフェースを介してミニチュア・メモリカード内のデータを読み書きすることができる。さらに、コンバータは、メモリモジュールを組み込むことによって、携帯型記憶媒体として機能することができる。【選択図】図１
2007310858.tif 000002
【特許請求の範囲】
【請求項１】
ミニチュア・メモリカード用のデュアル・インタフェース・コンバータであって、
前記コンバータが、標準のメモリカードと互換性があるカートリッジを含み、前記カートリッジは、
ミニチュア・メモリカードを該カートリッジに挿入するためのスロットと、
カートリッジに形成してあり、電子装置に接続できる製品インタフェースと、
カートリッジに形成した標準のメモリカード・インタフェースと、
を含み、
さらに、前記コンバータは、
前記カートリッジ内に保持され、標準のメモリカード・インタフェース、製品インタフェース、およびスロットのいずれかに接続される変換モジュールを含む、
ことを特徴とするデュアル・インタフェース・コンバータ。
【請求項２】
前記変換モジュールは、
適応回路およびカード読み取り回路を有する主回路板と、
標準のメモリカード・インタフェースとして機能し、前記適応回路に電子的に接続するよう、前記主回路板に配設された多数の接点と、
前記カートリッジ内に保持されたミニチュア・メモリカードへ電子的に接触するよう、前記主回路板に配設された多数の端子からなるコネクタと、
を含むことを特徴とする請求項１に記載のデュアル・インタフェース・コンバータ。
【請求項３】
前記カード読み取り制御回路は、多数のスイッチング・モジュールからなる少なくとも１つのスイッチ・バスを介してミニチュア・メモリカードに接続しており、スイッチング・モジュールの作動が製品インタフェースの状況によって決定されることを特徴とする請求項２に記載のデュアル・インタフェース・コンバータ。
【請求項４】
前記主回路板は、さらに、製品インタフェースとして機能し且つ前記適応回路を介してカード読み取り制御回路に接続するようになる多数の信号接点を含むことを特徴とする請求項２に記載のデュアル・インタフェース・コンバータ。
【請求項５】
前記多数の信号接点は、前記主回路板に電子的に接続する補助回路板に形成されていることを特徴とする請求項４に記載のデュアル・インタフェース・コンバータ。
【請求項６】
製品インタフェースは、ＵＳＢインタフェース或いはＩＥＥＥ１３９４インタフェースの有線通信インタフェースであることを特徴とする請求項５に記載のデュアル・インタフェース・コンバータ。
【請求項７】
前記コンバータは、前記主回路板にメモリモジュールおよびメモリカード制御回路を形成することによって、携帯型記憶媒体として機能することを特徴とする請求項２に記載のデュアル・インタフェース・コンバータ。
【請求項８】
多数のスイッチング・モジュールからなるスイッチ・バスは、メモリカード制御回路と標準のメモリカード・インタフェースとの間に接続されていて、コネクタの検出ピンによって制御されることを特徴とする請求項７に記載のデュアル・インタフェース・コンバータ。
【請求項９】
前記カード読み取り制御回路には、無線通信コントローラが組み込んであることを特徴とする請求項２に記載のデュアル・インタフェース・コンバータ。
【請求項１０】
前記無線通信コントローラは、ＲＦＩＤコントローラであり、前記カード読み取り制御回路は、データ入力ピンおよびデータ出力ピンを使用して送信/放出回路に接続するようになっていることを特徴とする請求項９に記載のデュアル・インタフェース・コンバータ。
【請求項１１】
前記無線通信コントローラは、無線ＵＳＢコントローラであり、前記カード読み取り制御回路は、無線周波マッチング回路を介してアンテナに接続していることを特徴とする請求項９に記載のデュアル・インタフェース・コンバータ。
【請求項１２】
前記カートリッジはハウジングを含み、標準のメモリカード・インタフェースと製品インタフェースが、該ハウジング上の相対向する側に形成してあることを特徴とする請求項２に記載のデュアル・インタフェース・コンバータ。
【請求項１３】
ハウジングが、
第１面と、
この第１面に相対向する第２面と、
前記第２面に設けた開口部と、を有し、
前記第１面には標準のメモリカード・インタフェースが形成してあり、前記開口部の内側或いは外側に回転するように製品インタフェースが該開口部に旋回可能に装着されていることを特徴とする請求項１２に記載のデュアル・インタフェース・コンバータ。
【請求項１４】
ハウジングが、
第１面と、
この第１面に相対向する第２面と、
前記第２面に設けたスペースと、を有し、
前記第１面には標準のメモリカード・インタフェースが形成してあり、前記スペース内には製品インタフェースが可動に装着され、ハウジングから引き出したり、ハウジング内へ押し込んだりできるようになっていることを特徴とする請求項１２に記載のデュアル・インタフェース・コンバータ。
【請求項１５】
ハウジングが、
第１面と、
この第１面に相対向する第２面と、
前記第２面に隣接してでハウジングに設けた凹部と、を有し、
前記凹部の両側部に製品インタフェースが折り畳み可能なコネクタとして旋回可能に装着されていることを特徴とする請求項１２に記載のデュアル・インタフェース・コンバータ。
【請求項１６】
ハウジングが、
標準のメモリカード・インタフェースが形成された第１面と、
前記第１面と相対向して配置され、突起を有し、製品インタフェースが前記突起のところに形成されてあるようになる第２面と、、
前記第１面と第２面との間に接続され、ミニチュア・メモリカード用のスロットが設けてある第３面と、
を有することを特徴とする請求項１２に記載のデュアル・インタフェース・コンバータ。
【請求項１７】
標準のメモリカード・インタフェースおよび製品インタフェースが、ハウジングの同じ表面に形成してあることを特徴とする請求項１２に記載のデュアル・インタフェース・コンバータ。
【請求項１８】
標準のメモリカード・インタフェースおよび製品インタフェースが、それぞれ、ハウジングの相対向する面に形成してあることを特徴とする請求項１２に記載のデュアル・インタフェース・コンバータ。
【請求項１９】
ハウジングが、
標準のメモリカード・インタフェースが形成された第１面と、
前記第１面と相対向して配置され、突起を有する第２面と、
前記突起上に配設された有線通信インタフェースと互換性を持ち、パワーピンが形成された回路板と、
を有することを特徴とする請求項９に記載のデュアル・インタフェース・コンバータ。
【請求項２０】
コンバータは、主回路板にメモリモジュールおよびメモリカード制御回路を形成することによって、携帯型記憶媒体として機能することを特徴とする請求項９に記載のデュアル・インタフェース・コンバータ。
【請求項２１】
カートリッジは、突起に取り付けられた保護カバーを含んでいることを特徴とする請求項１６に記載のデュアル・インタフェース・コンバータ。
【請求項２２】
前記保護カバーは、
ハウジングの幅寸法に対応する幅寸法を有するＵ字体と、
前記Ｕ字体に設けたられた溝を有し、突起が該溝に沿ってすべって保護カバーに取り付けようになっており、更に、
Ｕ字体の片面に装着された金属プレートと、
を有することを特徴とする請求項２１に記載のデュアル・インタフェース・コンバータ。
【請求項２３】
ミニチュア・メモリカードは、Ｍｉｃｒｏ ＳＤ、ＭＭＣ Ｍｉｃｒｏ、或いはＭＳＭｉｃｒｏ（Ｍ２）のメモリカードであることを特徴とする請求項１に記載のデュアル・インタフェース・コンバータ。
【請求項２４】
標準のメモリカードは、標準のＳＤメモリカード、ＭＭＣカード、ＭＳメモリカード、或いはＭＳ Ｄｕｏメモリカードであることを特徴とする請求項１に記載のデュアル・インタフェース・コンバータ。
【発明の詳細な説明】
【技術分野】
【０００１】
（発明の分野）
本発明は、ミニチュア・メモリカードのデュアル・インタフェース・コンバータに関し、一層詳しく言えば、本発明は、標準的なメモリカードにミニチュア・メモリカードを適応させるために無線または有線インタフェースとして使用できるデュアル・インタフェース・コンバータに関する。
【背景技術】
【０００２】
（関連技術の説明）
デジタル技術時代が到来するにつれて、消費者の要求に応えるべく携帯電子機器製品が多機能装置としてデジタル化されてきている。たとえば、携帯電話は、画像を取り込んでＭＰ３ファイルを再生するのに使用することができるし、デジタルカメラには動的ビデオ録画機能が有る。これらの電子装置用の最も普通の記憶媒体はメモリカードである。多くの周知の企業は、ほとんどの種類の電子装置用の種々のタイプのメモリカードを設計して大衆化してきた。今では、携帯電話やデジタルカメラ用のミニチュア・メモリカードは、大量のデータを記憶できる。初期のＳＤメモリカードおよびＭＭＣメモリカードの寸法は切手並みである。しかしながら、サムソン社（Ｓａｍｓｕｎｇ：韓国の電子機器企業）の開発した現在のミニチュア・メモリカード（ＭＭＣ  ＭＩＣＲＯ）は、初期の標準的なメモリカードよりもはるかに小さな寸法（１２ｍｍ×１４ｍｍ×１.１ｍｍ）になっている。
【０００３】
コンピュータにミニチュア・メモリカード内のデータを転送する場合、たとえメモリカードを電子装置に容易にインストールできたとしても、いくつかの問題があり得る。たとえば、ほとんどのコンボ・カード・リーダ（コンピュータに搭載したり、コンピュータに外部接続したりすることができる）はミニチュア・メモリカードをサポートしない。したがって、ミニチュア・メモリカードは変換用カートリッジ付きで販売されることが多い。
【０００４】
図１５及び図１６を参照して従来のミニチュア・メモリカード８０用の従来の変換用カートリッジ７０を説明する。この従来の変換用カートリッジ７０は標準的なＭＭＣメモリカードと同じ寸法である。変換用コンバータ７０は、ミニチュア・メモリカード８０を挿入するスロット７１を有し、ミニチュア・メモリカード８０に電子的に対応して接続できるＭＭＣインタフェース７２を有する。標準的なＭＭＣカードは寸法でのみミニチュア・メモリカード８０と異なっているので、構造を簡単に改造するだけでＭＭＣカード互換のカード・リーダがミニチュア・メモリカード８０を読み書きすることができる。
【０００５】
しかしながら、コンボ・メモリカード・リーダは、ほとんどのパソコン使用者にとって広く普及しているというような基本的装置ではない。たとえミニチュア・メモリカード８０が変換用コンバータ７０と一緒に販売されるにしても、カード・リーダを持たないコンピュータ使用者はこのカード８０を利用することはできない。
【０００６】
したがって、本発明は、上記の問題を緩和するまたは未然に防ぐためにメモリカードの新規なデュアル・インタフェース・コンバータを提供する。
【発明の開示】
【発明が解決しようとする課題】
【０００７】
本発明の主目的は、メモリカード・インタフェースまたは製品インタフェースを使用してカード・リーダまたは電子装置に接続する、ミニチュア・メモリカード用のデュアル・インタフェース・コンバータを提供することにある。カード・リーダまたは電子装置は、ミニチュア・メモリカードのデータの読み取り及び書き込みができる。
【課題を解決するための手段】
【０００８】
この主目的を達成すべく、本コンバータは、カートリッジと、このカートリッジに装着した変換モジュールとを含む。カートリッジは、標準的なメモリカードと互換性を持ち、スロット、製品インタフェース、およびメモリカード・インタフェースを形成している。カートリッジの変換モジュールは、メモリカード・インタフェース、製品インタフェース、スロットのうちのいずれかに接続する。
【発明を実施するための最良の形態】
【０００９】
本発明の他の目的、利点および新規な特徴は、添付図面と関連した以下の詳細な説明からより明らかとなろう。
（実施の形態）
【００１０】
図１および図２を参照すると、本発明のデュアル・インタフェース・コンバータは、標準的なメモリカードと同様のカートリッジ外観を有する。カートリッジは、ミニチュア・メモリカード８０を保持するハウジング１０を有し、データをミニチュア・メモリカード８０と対象電子装置（図示せず）との間でデータを転送するために、標準的なメモリカード・インタフェースか或いは製品インタフェースのいずれかを使用する。製品インタフェースは、ＵＳＢやＩＥＥＥ１３９４規格のような有線通信プロトコルか、または、たとえば、ＲＦＩＤ（無線認証）や、ブルートゥースや、無線ＬＡＮや、無線ＵＳＢなどを含む無線通信規格のいずれであってもよい。有線通信規格のＵＳＢインタフェースは、一例として、以下の説明のように使用される。
【００１１】
図３を参照すると、ハウジング１０に加えて、カートリッジは、ハウジング１０内に装着した変換モジュール２０を含んでいる。ハウジング１０は、相互に対応して組み立てた頂部シェル１１および底部シェル１２によって形成してある。頂部シェル１１および底部シェル１２は、共に、インタフェース・サイド（符号なし）を有する。頂部シェル１１は、さらに、インタフェース・サイドの反対縁から外方に延びるプラットフォーム（符号なし）を形成している。底部シェル１２は、プラットフォームに対応するＵ字形フレーム１６を有する。２つのシェル１１、１２を相互に組み合わせたとき、プラットフォームおよびＵ字形フレーム１６が突出部を形成する。多数の貫通孔１４がインタフェース・サイドに沿って底部シェル１２に設けてある。さらに、ノッチ１５が頂部シェル１１および底部シェル１２の片縁に設けてあり、これら２つのノッチ１５が、２つのシェル１１、１２を相互に対応して組み合わせたときにスロット１７を形成するようになり、このスロットｌ７を通して、ミニチュア・メモリカード８０がハウジング１０内へ挿入される。
【００１２】
ハウジング１０の変換モジュール２０は、主回路板２１と補助回路板２３とを含んでいる。この主回路板２１には、適応回路とカード読み取り制御回路２５とが形成されているが、これらについては図４に関連して後に説明することとする。
【００１３】
主回路板２１は、シェル１１、１２に対応する形に形成されてあり、頂面および底面を含む。メモリカード・インタフェースとして多数の接点２２が主回路板２１の底面に形成してあり、それぞれ、底部シェル１２の貫通孔１４に対応している。メモリカード・インタフェースは、これに限定するつもりはないが、ＳＤ、ＭＭＣ、ＭＳ、或いはＭＳ ＤＵＯといったメモリカード・インタフェースである。
【００１４】
補助回路板２３は、主回路板２１の底面に接続されていて、その底面にはＵＳＢ製品インタフェースとして多数の信号接点２３０が有り、対象電子装置のＵＳＢポートに接続するようになっている。信号接点２３０は、適応回路を介してカード読み取り制御回路に電子的に接続する。補助回路板２３を伴った状態で主回路板２１がシェル１１、１２間に位置付けられると、補助回路板２３はフレーム１６に囲まれ保持される。
【００１５】
主回路板２１は、さらに、ミニチュア・メモリカード８０を接続するためのコネクタ２４を有する。コネクタ２４は、この実施形態では、主回路板２１に装着した多数の端子によって形成してある。
【００１６】
図４について説明する。変換モジュール２０のカード読み取り制御回路２５は、製品インタフェースの信号接点２３０に接続する４つの端子ＶＰＦ、ＶＰＨ、ＶＭＦ、ＶＭＨを有しており、また、第１のスイッチ・バスを介してコネクタ２４に接続している端子ＤＡＴ０〜ＤＡＴ３、ＣＬＫ、ＣＭＤを使用している。この第１のスイッチ・バスは、多数のスイッチング・モジュール（Ｕ９Ａ〜Ｕ１１ＡおよびＵ９Ｂ〜Ｕ１１Ｂ）で構成してある。コネクタ２４は、Ｍｉｃｒｏ ＳＤ，ＭＭＣ Ｍｉｃｒｏ，或いはＭＳＭｉｃｒｏ （Ｍ２）の規格と互換性を持っている。メモリカード・インタフェースとしての多数の接点２２は、主回路板２１上の適応回路を介してコネクタ２４の端子に対応して接続している。スイッチング・モジュール（Ｕ９Ａ〜Ｕ１１ＡおよびＵ９Ｂ〜Ｕ１１Ｂ）およびカード読み取り制御回路２５の操作は、カートリッジのＵＳＢインタフェースの電子装置をＵＳＢポートへ接続するか否かで行なわれる。信号接点２３０を電子装置のＵＳＢポートに接続すると、電子装置から直流電圧ＶＣＣ_ＵＰＣＢが変換モジュール２０の電圧調整器２６に送られ、処理される。電圧調整器２６は、カード読み取り制御回路２５およびすべてのスイッチング・モジュール（Ｕ９Ａ〜Ｕ１１ＡおよびＵ９Ｂ〜Ｕ１１Ｂ）に第１の作動電圧ＶＤＤを出力する。電子スイッチＱ３を通過している作動電圧ＶＤＤは、第２の作動電圧ＶＣＣ３として定義される。第２の作動電圧ＶＣＣ３は、すべてのスイッチング・モジュール（Ｕ９Ａ〜Ｕ１１ＡおよびＵ９Ｂ〜Ｕ１１Ｂ）にも出力される。第１の作動電圧ＶＤＤは、スイッチング・モジュールを導通状態にすべきかどうかを制御する。第２の作動電圧ＶＣＣ３は、各スイッチング・モジュール（Ｕ９Ａ〜Ｕ１１ＡおよびＵ９Ｂ〜Ｕ１１Ｂ）のための作動電圧として使用される。導通状態になったスイッチング・モジュール（Ｕ９Ａ〜Ｕ１１ＡおよびＵ９Ｂ〜Ｕ１１Ｂ）を介して、ミニチュア・メモリカード８０がカード読み取り制御回路２５に接続可能になる。カード読み取り制御回路２５が電子装置のＵＳＢポートに接続しているので、カード読み取り制御回路２５を介して、電子機器製品がミニチュア・メモリカード８０にアクセスすることができる。
【００１７】
図５及び図６を参照する。ミニチュア・メモリカード８０がカートリッジに挿入されれば、コンバータが製品インタフェースによってＵＳＢポートに接続する。前述の実施形態では、メモリカード・インタフェースおよび製品インタフェースは、カートリッジの同じ表面に形成してある。しかしながら、これらインタフェースは、それぞれ、相対向する面に形成することもできる。
【００１８】
しかしながら、図７に示すように、オプションのＵ字形保護カバー１３を使用して、該カバー１３を突起に取り付けて、カートリッジを補填するようにし、ほぼ矩形のコンバータを形成することもできる。こうして補填されたカートリッジは標準のメモリカードと同じ外観を有する。保護カバー１３は、カートリッジを補填するということに加えて、突起がポッキと折れるのを防止することができる。しかしながら、カートリッジは、保護カバー１３で補填しなくても、メモリカード・リーダに簡単に挿入できることは言うまでもない。
【００１９】
図３及び図７に示すように、保護カバー１３は、溝１３０を有するＵ字体で形成してあり、この溝１３０に沿って、突起を保護カバー１３内にすべり込ませることができるようになっている。この実施形態においては、Ｕ字体の片側にはさらに金属プレート１８が装着してある。
【００２０】
本発明によるデュアル・インタフェース・コンバータは、以下に説明するように種々の実施形態に形成できる。ハウジング１０の寸法および形状は、標準のメモリカードと同じである。以下の実施形態における製品インタフェースはハウジング１０内に保持できる。
【００２１】
図８に示すように、ハウジング１０は、メモリカード・インタフェースと相対向する面に開口部（符号なし）を有する。製品インタフェース２９はハウジング１０の開口部内に旋回可能に装着されている。製品インタフェース２９を外向きに回転させてハウジング１０から突出させると、カートリッジは、製品インタフェース２９によって電子装置のＵＳＢポートのような互換性のあるコネクタに接続できるようになる。製品インタフェース２９を開口部に収容されると、ハウジング１０は標準のメモリカードの形となる。
【００２２】
図９に示すように、ハウジング１０には、製品インタフェース２９を可動に保持できるスペースが有る。製品インタフェース２９は、このスペースに沿って、水平方向にハウジング１０から引き出したり、ハウジング内へ押し込んだりすることができる。製品インタフェース２９をハウジング１０から引き出せば、カートリッジは、製品インタフェース２９によって、電子装置の互換性のあるコネクタに接続できるようになる。製品インタフェース２９をスペース内に収めれば、ハウジング１０の形は標準のメモリカードと同じである。
【００２３】
図１０を参照すると、ハウジング１０には、製品インタフェース２９を保持するための凹部１９が設けてあり、製品インタフェース２９を折り畳み可能なコネクタとして凹部１９の両側に回転可能に装着するようになっている。製品インタフェース２９が凹部１９内に完全に折り込まれると、ハウジング１０は、カード・リーダに直接挿入するのに適した標準のメモリカードと同じ外観となる。製品インタフェース２９を持ち上げ、ハウジング１０から突出させると、製品インタフェース２９は、電子装置の互換性を持つポートに接続できる。
【００２４】
別の実施形態では、本発明によるデュアル・インタフェース・コンバータは、携帯記憶媒体として役立てることができる。この機能を達成するために、メモリモジュール２７およびメモリカード制御回路２８がコンバータ内に形成してある。これらは共に変換モジュール２０内に形成してあるのが好ましい。
【００２５】
図４を参照すると、メモリモジュール２７はメモリカード制御回路２８に接続されている。メモリカード制御回路２８は、第２のスイッチ・バスを介して接点２２に接続され、第１のスイッチ・バスのスイッチング・モジュール（Ｕ９Ａ〜Ｕ１１ＡおよびＵ９Ｂ〜Ｕ１１Ｂ）を介してカード読み取り制御回路２５にも接続されている。第２のスイッチ・バスは、多数のスイッチング・モジュール（Ｕ１４Ａ〜Ｕ１６ＡおよびＵ１４Ｂ〜Ｕ１６Ｂ）で構成してある。
【００２６】
すべてのスイッチング・モジュール（Ｕ９Ａ〜Ｕ１１Ａ、Ｕ９Ｂ〜Ｕ１１Ｂ、Ｕ１４Ａ〜Ｕ１６ＡおよびＵ１４Ｂ〜Ｕ１６Ｂ）対する作動電圧ＶＣＣ３は、コンバータが電子装置のＵＳＢポートに接続したときに、電子装置から出力される。コンバータを電子装置から引き離して回転して、メモリカード・インタフェースによって互換性を持つカード・リーダに接続すると、カード・リーダが作動電圧ＶＣＣ３を与えることができる。
【００２７】
スイッチング・モジュール（Ｕ１４Ａ〜Ｕ１６ＡおよびＵ１４Ｂ〜Ｕ１６Ｂ）およびメモリカード制御回路２５の操作は、コネクタ２４がミニチュア・メモリカード８０に接続されるか否かに依る。コネクタ２４は、すべてのスイッチング・モジュール（Ｕ１４Ａ〜Ｕ１６ＡおよびＵ１４Ｂ〜Ｕ１６Ｂ）のすべての制御ピンＣへ接続している検出ピン（カード検出）を有する。ミニチュア・メモリカード８０がコネクタ２４へ接続すると、コンバータは変換装置としてのみ機能して、検出ピン（カード検出）は、すべてのスイッチング・モジュール（Ｕ１４Ａ〜Ｕ１６ＡおよびＵ１４Ｂ〜Ｕ１６Ｂ）をオフにすることになる。その結果、メモリモジュール２７およびメモリカード制御回路２８は、カード読み取り制御回路２５および標準のメモリカード・インタフェースに対する接続部をまったく持てないことになる。
【００２８】
ミニチュア・メモリカード８０がコンバータに挿入されてない場合には、コンバータは電子装置またはカード・リーダのいずれかに接続することができ、標準のメモリカード・インタフェースまたはＵＳＢインタフェースを持つことができる。したがって、メモリカード制御回路２８は、スイッチング・モジュール（Ｕ９Ａ〜Ｕ１１ＡおよびＵ９Ｂ〜Ｕ１１Ｂ）を介して接点２２またはカード読み取り制御回路２５に接続する。したがって、コンバータは、電子装置に対する携帯型データ記憶媒体として使用されるし、或いは、さらに補整して、カード・リーダのような電子製品に接続するための標準のメモリカード（図７に示すように）を形成するようにもできる。
【００２９】
図１１に示す回路は図４と同様であるが、最初の有線インタフェースの代わりに、無線通信インタフェースを使用している。無線通信インタフェースの一例としては、無線ＵＳＢインタフェースである。また、最初のカード読み取り回路２５の変わりに、無線インタフェース制御装置を組み入れたカード読み取り制御回路２５'が使われている。カード読み取り制御回路２５'の信号入力および出力ピン（Ｒｆｉｎ、Ｒｆｏｕｔ）が、無線周波マッチング回路２５１を介してアンテナ２５２に接続されて、データを無線で送受信するようになっている。
【００３０】
図１２では、最初のＵＳＢインタフェースの代わりに、無線ＵＳＢインタフェースを使用しているが、補助回路板２３'はハウジング１０上に残っている。補助回路板２３'におけるデータピンを除去し、パワーピン２３１のみを残し、電子装置のＵＳＢポートからハウジング１０の変換モジュール２０に作動電圧を伝えるようになっている。
【００３１】
図１３に示すようにコンバータが内部作動電圧を備えている状況では、補助回路板２３'は不要である。コンバータのハウジング１０'の形状はメモリカードの規格に合わせてある。
【００３２】
図１４を参照すると、ここでは、別の種類の無線通信規格を使用している。この実施形態では、ＲＦＩＤ通信技術を使用して無線データ伝送を行っている。ＲＦＩＤコントローラにはカード読み取り制御回路２５”が組み込んである。カード読み取り制御回路２５”のデータ入力ピンＤＩおよびデータ出力ピンＤＯは送信／受信回路２５３に接続している。電磁誘導効果が作動電圧を発生させることができるので、コンバータは補助回路板を必要としない。
【００３３】
前述の無線ＵＳＢおよびＲＦＩＤの規格に限らず、ブルートゥースまたは無線ＬＡＮのような他の無線通信技術もこのコンバータに対して実行可能である。
【００３４】
要するに、標準のメモリカードの形状を有するカートリッジによってミニチュア・メモリカードを保持できるので、メモリカード・スロットを有する、互換性を持つカード・リーダまたは電子製品は、このコンバータを介してミニチュア・メモリカードを利用できるようになる。互換性を持つカード・リーダが存在しない状況でも、コンバータのＵＳＢまたはＩＥＥＥ１３９４インタフェースのような製品インタフェースを電子装置の対応するデータ伝送ポートに接続することによって、電子装置はミニチュア・メモリカードのデータを読み取り及び書き込みすることができる。有線データ転送プロトコルに加えて、製品インタフェースは、無線通信インタフェース、たとえばブルートゥース、無線ＬＡＮ、または無線ＵＳＢであってもよい。
【００３５】
さらに、オプションのメモリモジュールおよびメモリカード制御回路をコンバータに形成してもよい。それによって、コンバータは、取り外し可能なデータ記憶媒体または携帯データ記憶媒体として使用できる。
【図面の簡単な説明】
【００３６】
【図１】本発明によるデュアル・インタフェース・コンバータの第１実施形態の頂部斜視図である。
【図２】図１のデュアル・インタフェース・コンバータの底部透視図である。
【図３】図１のデュアル・インタフェース・コンバータの展開斜視図である。
【図４Ａ】本発明によるデュアル・インタフェース・コンバータの変換モジュールの回路図である。
【図４Ｂ】本発明によるデュアル・インタフェース・コンバータの変換モジュールの回路図である。
【図４Ｃ】本発明によるデュアル・インタフェース・コンバータの変換モジュールの回路図である。
【図４Ｄ】本発明によるデュアル・インタフェース・コンバータの変換モジュールの回路図である。
【図４Ｅ】本発明によるデュアル・インタフェース・コンバータの変換モジュールの回路図である。
【図４Ｆ】本発明によるデュアル・インタフェース・コンバータの変換モジュールの回路図である。
【図４Ｇ】本発明によるデュアル・インタフェース・コンバータの変換モジュールの回路図である。
【図４Ｈ】本発明によるデュアル・インタフェース・コンバータの変換モジュールの回路図である。
【図５】ミニチュア・メモリカードを保持している図１のデュアル・インタフェース・コンバータの頂部斜視図である。
【図６】ミニチュア・メモリカードと共に組み立てた本発明のデュアル・インタフェース・コンバータの底部透視図である。
【図７】プロテクト・カバーを補った図１のデュアル・インタフェース・コンバータの斜視図である。
【図８】本発明によるデュアル・インタフェース・コンバータの第２実施形態の斜視図である。
【図９】本発明によるデュアル・インタフェース・コンバータの第３実施形態の斜視図である。
【図１０】本発明によるデュアル・インタフェース・コンバータの第４実施形態の斜視図である。
【図１１Ａ】本発明による無線ＵＳＢインタフェースを使用しているデュアル・インタフェース・コンバータの回路図である。
【図１１Ｂ】本発明による無線ＵＳＢインタフェースを使用しているデュアル・インタフェース・コンバータの回路図である。
【図１１Ｃ】本発明による無線ＵＳＢインタフェースを使用しているデュアル・インタフェース・コンバータの回路図である。
【図１１Ｄ】本発明による無線ＵＳＢインタフェースを使用しているデュアル・インタフェース・コンバータの回路図である。
【図１１Ｅ】本発明による無線ＵＳＢインタフェースを使用しているデュアル・インタフェース・コンバータの回路図である。
【図１１Ｆ】本発明による無線ＵＳＢインタフェースを使用しているデュアル・インタフェース・コンバータの回路図である。
【図１１Ｇ】本発明による無線ＵＳＢインタフェースを使用しているデュアル・インタフェース・コンバータの回路図である。
【図１１Ｈ】本発明による無線ＵＳＢインタフェースを使用しているデュアル・インタフェース・コンバータの回路図である。
【図１２】本発明による第１実施形態の無線ＵＳＢインタフェースを有するデュアル・インタフェース・コンバータの斜視図である。
【図１３】本発明による第２実施形態の無線ＵＳＢインタフェースを有するデュアル・インタフェース・コンバータの斜視図である。
【図１４Ａ】本発明による無線ＲＦＩＤインタフェースを有するデュアル・インタフェース・コンバータの回路図である。
【図１４Ｂ】本発明による無線ＲＦＩＤインタフェースを有するデュアル・インタフェース・コンバータの回路図である。
【図１４Ｃ】本発明による無線ＲＦＩＤインタフェースを有するデュアル・インタフェース・コンバータの回路図である。
【図１４Ｄ】本発明による無線ＲＦＩＤインタフェースを有するデュアル・インタフェース・コンバータの回路図である。
【図１４Ｅ】本発明による無線ＲＦＩＤインタフェースを有するデュアル・インタフェース・コンバータの回路図である。
【図１４Ｆ】本発明による無線ＲＦＩＤインタフェースを有するデュアル・インタフェース・コンバータの回路図である。
【図１４Ｇ】本発明による無線ＲＦＩＤインタフェースを有するデュアル・インタフェース・コンバータの回路図である。
【図１４Ｈ】本発明による無線ＲＦＩＤインタフェースを有するデュアル・インタフェース・コンバータの回路図である。
【図１５】メモリカードおよび変換用コンバータを含む在来のメモリカード・アセンブリの展開斜視図である。
【図１６】図１５の在来のメモリカード・アセンブリの別の展開斜視図である。
【符号の説明】
【００３７】
１０    ハウジング
１１    頂部シェル
１２    底部シェル
１４    多数の貫通孔
１３    Ｕ字形保護カバー
１５    ノッチ
１６    Ｕ字形フレーム
１７    スロット
２０    変換モジュール
２１    主回路板
２２    多数の接点
２３    補助回路板
２３０  信号接点
２４    コネクタ
２５    カード読み取り制御回路
２６    電圧調整器
２７    メモリモジュール
２８    メモリカード制御回路
２９    製品インタフェース
８０    ミニチュア・メモリカード
【図１】
2007310858.tif 000003
【図２】
2007310858.tif 000004
【図３】
2007310858.tif 000005
【図４Ａ】
2007310858.tif 000006
【図４Ｂ】
2007310858.tif 000007
【図４Ｃ】
2007310858.tif 000008
【図４Ｄ】
2007310858.tif 000009
【図４Ｅ】
2007310858.tif 000010
【図４Ｆ】
2007310858.tif 000011
【図４Ｇ】
2007310858.tif 000012
【図４Ｈ】
2007310858.tif 000013
【図５】
2007310858.tif 000014
【図６】
2007310858.tif 000015
【図７】
2007310858.tif 000016
【図８】
2007310858.tif 000017
【図９】
2007310858.tif 000018
【図１０】
2007310858.tif 000019
【図１２】
2007310858.tif 000020
【図１１Ａ】
2007310858.tif 000021
【図１１Ｂ】
2007310858.tif 000022
【図１１Ｃ】
2007310858.tif 000023
【図１１Ｄ】
2007310858.tif 000024
【図１１Ｅ】
2007310858.tif 000025
【図１１Ｆ】
2007310858.tif 000026
【図１１Ｇ】
2007310858.tif 000027
【図１１Ｈ】
2007310858.tif 000028
【図１３】
2007310858.tif 000029
【図１４Ａ】
2007310858.tif 000030
【図１４Ｂ】
2007310858.tif 000031
【図１４Ｃ】
2007310858.tif 000032
【図１４Ｄ】
2007310858.tif 000033
【図１４Ｅ】
2007310858.tif 000034
【図１４Ｆ】
2007310858.tif 000035
【図１４Ｇ】
2007310858.tif 000036
【図１４Ｈ】
2007310858.tif 000037
【図１５】
2007310858.tif 000038
【図１６】
2007310858.tif 000039